(57)【要約】【課題】広帯域な変換帯域をもって導波管型の線路とスロット線路との変換を行うことができる伝送線路および送受信装置を提供する。【解決手段】誘電体基板２の表面２Ａ，裏面２Ｂには表面電極３，裏面電極４をそれぞれ設ける。また、誘電体基板２の裏面２Ｂには裏面電極４に覆われた隆起部５を設けると共に、表面電極３には隆起部５と対向した位置に第１のスロット６を開口して設け、スロット誘電体線路７を形成する。また、第１のスロット６の延長線上には幅寸法の狭い第２のスロット８からなるスロット線路９を形成する。さらに、スロット誘電体線路７とスロット線路９との間は、隆起部５を延長した延長隆起部１０と第１，第２のスロット６，８間で幅寸法が漸次縮小したテーパ型スロット１１とからなるテーパ型スロット誘電体線路１２を用いて接続する。これにより、２つの線路７，９間の変換帯域を広げることができる。【選択図】        図１
2004166077.tif 000002
【特許請求の範囲】
【請求項１】
誘電体基板と、該誘電体基板の表面，裏面にそれぞれ設けられた表面電極，裏面電極とを備え、
前記誘電体基板の裏面側に設けられ前記裏面電極に覆われた状態で高周波信号の伝送方向に沿って断面凸形状で連続して延びる隆起部と、前記表面電極に設けられ一定の幅寸法をもって該隆起部に沿って延びる第１のスロットとによってスロット誘電体線路を構成し、
前記表面電極に設けられ前記第１のスロットから離間すると共に前記第１のスロットよりも狭い一定の幅寸法をもって高周波信号の伝送方向に沿って延びる第２のスロットによってスロット線路を構成し、
前記誘電体基板の裏面側に設けられ前記スロット誘電体線路とスロット線路との間に位置して前記裏面電極に覆われた状態で前記隆起部を延長した延長隆起部と、前記表面電極に設けられ前記第１のスロットから第２のスロットに向けて幅寸法が漸次縮小しつつ該延長隆起部に沿って延び前記スロット誘電体線路とスロット線路との間を接続するテーパ型スロットとによってテーパ型スロット誘電体線路を構成してなる伝送線路。
【請求項２】
誘電体基板と、該誘電体基板の表面，裏面にそれぞれ設けられた表面電極，裏面電極とを備え、
前記誘電体基板の裏面側に設けられ前記裏面電極に覆われた状態で高周波信号の伝送方向に沿って断面凸形状で連続して延びる隆起部と、前記表面電極に設けられ一定の幅寸法をもって該隆起部に沿って延びる第１のスロットとによってスロット誘電体線路を構成し、
前記表面電極に設けられ前記第１のスロットから離間すると共に前記第１のスロットよりも狭い一定の幅寸法をもって高周波信号の伝送方向に沿って延びる第２のスロットによってスロット線路を構成し、
前記表面電極に設けられ前記第１のスロットから第２のスロットに向けて幅寸法が漸次縮小しつつ延び前記スロット誘電体線路とスロット線路との間を接続するテーパ型スロットによってテーパ型スロット線路を構成してなる伝送線路。
【請求項３】
前記誘電体基板には、連続して延びる前記第１のスロット、テーパ型スロットおよび第２のスロットを挟んだ両側にそれぞれ配置され、厚さ方向に貫通して前記表面電極と裏面電極との間を導通させる複数のスルーホールを設けてなる請求項１または２に記載の伝送線路。
【請求項４】
誘電体基板と、該誘電体基板の表面，裏面にそれぞれ設けられた表面電極，裏面電極とを備え、
前記誘電体基板の裏面側に設けられ前記裏面電極に覆われた状態で高周波信号の伝送方向に沿って断面凸形状で連続して延びる隆起部と、前記表面電極に設けられ一定の幅寸法をもって該隆起部に沿って延びる第１のスロットとによってスロット誘電体線路を構成し、
前記表面電極に設けられ前記第１のスロットから離間すると共に前記第１のスロットよりも狭い一定の幅寸法をもって高周波信号の伝送方向に沿って延びる第２のスロットによってスロット線路を構成し、
前記誘電体基板の裏面側に設けられ前記スロット誘電体線路とスロット線路との間に位置して前記裏面電極に覆われた状態で前記隆起部を延長した延長隆起部と、前記第１のスロットから第２のスロットに向けて幅寸法がステップ状をなして該延長隆起部に沿って延び前記スロット誘電体線路とスロット線路との間を接続するステップ型スロットとによってステップ型スロット誘電体線路を構成してなる伝送線路。
【請求項５】
誘電体基板と、該誘電体基板の表面，裏面にそれぞれ設けられた表面電極，裏面電極とを備え、
前記誘電体基板の裏面側に設けられ前記裏面電極に覆われた状態で高周波信号の伝送方向に沿って断面凸形状で連続して延びる隆起部と、前記表面電極に設けられ一定の幅寸法をもって該隆起部に沿って延びる第１のスロットとによってスロット誘電体線路を構成し、
前記表面電極に設けられ前記第１のスロットから離間すると共に前記第１のスロットよりも狭い一定の幅寸法をもって高周波信号の伝送方向に沿って延びる第２のスロットによってスロット線路を構成し、
前記表面電極に設けられ前記第１のスロットから第２のスロットに向けて幅寸法がステップ状をなして延び前記スロット誘電体線路とスロット線路との間を接続するステップ型スロットによってステップ型スロット線路を構成してなる伝送線路。
【請求項６】
前記誘電体基板には、連続して延びる前記第１のスロット、ステップ型スロットおよび第２のスロットを挟んだ両側にそれぞれ配置され、厚さ方向に貫通して前記表面電極と裏面電極との間を導通させる複数のスルーホールを設けてなる請求項４または５に記載の伝送線路。
【請求項７】
前記スロット誘電体線路には、前記スロット線路と反対側に位置して前記隆起部を延長すると共に前記誘電体基板の表面を前記表面電極によって覆うことにより構成された誘電体線路を接続してなる請求項１，２，３，４，５または６に記載の伝送線路。
【請求項８】
前記スロット線路には抵抗素子を取付ける構成としてなる請求項１，２，３，４，５，６または７に記載の伝送線路。
【請求項９】
前記誘電体基板は、セラミックス材料、樹脂材料またはこれらの複合材料によって形成してなる請求項１，２，３，４，５，６，７または８に記載の伝送線路。
【請求項１０】
前記請求項１ないし９のうちいずれかに記載の伝送線路を用いた送受信装置。
【発明の詳細な説明】
【０００１】
【発明の属する技術分野】
本発明は、例えばマイクロ波、ミリ波等の高周波信号を伝送する伝送線路および該伝送線路を用いて構成されるレーダ装置、通信装置等の送受信装置に関する。
【０００２】
【従来の技術】
一般に、第１の従来技術として、例えば誘電体基板の両面に電極（導体層）を設けると共に、誘電体基板にこれらの電極間を結ぶ複数個のスルーホールを２列平行に設けた導波管型の線路が知られている（例えば、特許文献１参照）。また、第２の従来技術として、誘電体基板の片面が電極で覆われると共に、該電極に帯状のスロットを設けた平面線路（スロット線路）も知られている（例えば、非特許文献１参照）。さらに、第３の従来技術として、両面に電極が形成された基板に対して、その裏面に導波管を接続すると共に、その表面の電極にスリットを設けてスロット線路を形成し、導波管とスロット線路とを接続した構成も知られている（例えば、特許文献２参照）。そして、第３の従来技術では、基板の裏面の電極に導波管に対応した開口を設けると共に、該開口内に導波管とスロット線路との変換を行うアンテナパターンを設けている。
【０００３】
【特許文献１】
特開平６−２５６３９８号公報
【非特許文献１】
Ｓ．Ｂ．Ｃｏｈｎ，  “Ｓｌｏｔ  Ｌｉｎｅ  ｏｎ  ａ  Ｄｉｅｌｅｃｔｒｉｃ  Ｓｕｂｓｔｒａｔｅ”，  ＩＥＥＥ  ＭＴＴ−１７，  Ｏｃｔ．  １９６９，  ｐ．７６８−７７８
【特許文献２】
特開平６−１１２７０８号公報
【０００４】
【発明が解決しようとする課題】
ところで、上述したように、第１，第２の従来技術のように各種の導波管型の線路やスロット線路が知られていると共に、第３の従来技術のように、基板の裏面側の電極に開口を設けることによって、基板の裏面側に設けた導波管と表面側に設けたスロット線路とを接続した構成も知られている。しかし、第３の従来技術のように、基板の裏面側の電極に開口やアンテナパターンを設け、導波管とスロット線路との変換を行うときには、導波管と基板との間や基板とスロット線路との間でインピーダンス不整合が生じ易く、導波管とスロット線路との間の変換帯域（高周波信号の通過帯域）が狭帯域になるという問題がある。
【０００５】
本発明は上述した従来技術の問題に鑑みなされたもので、広帯域な変換帯域をもって導波管型の線路とスロット線路との変換を行うことができる伝送線路および送受信装置を提供することにある。
【０００６】
【課題を解決するための手段】
上述した課題を解決するために、請求項１の発明による伝送線路は、誘電体基板と、該誘電体基板の表面，裏面にそれぞれ設けられた表面電極，裏面電極とを備え、前記誘電体基板の裏面側に設けられ前記裏面電極に覆われた状態で高周波信号の伝送方向に沿って断面凸形状で連続して延びる隆起部と、前記表面電極に設けられ一定の幅寸法をもって該隆起部に沿って延びる第１のスロットとによってスロット誘電体線路を構成し、前記表面電極に設けられ前記第１のスロットから離間すると共に前記第１のスロットよりも狭い一定の幅寸法をもって高周波信号の伝送方向に沿って延びる第２のスロットによってスロット線路を構成し、前記誘電体基板の裏面側に設けられ前記スロット誘電体線路とスロット線路との間に位置して前記裏面電極に覆われた状態で前記隆起部を延長した延長隆起部と、前記表面電極に設けられ前記第１のスロットから第２のスロットに向けて幅寸法が漸次縮小しつつ該延長隆起部に沿って延び前記スロット誘電体線路とスロット線路との間を接続するテーパ型スロットとによってテーパ型スロット誘電体線路を構成したことにある。
【０００７】
このように構成したことにより、スロット誘電体線路では誘電体基板の内部に電磁界が集中するから、第１のスロットによる放射損失を低減した状態で高周波信号を伝搬させることができる。また、スロット線路では第２のスロットの周囲に電磁界が集中するから、放射損失は大きくなるものの、スロット線路に並列に接続される半導体素子、抵抗素子等を電磁界を集中させて供給することができる。さらに、スロット誘電体線路とスロット線路との間を延長隆起部とテーパ型スロットとからなるテーパ型スロット誘電体線路によって接続したから、スロット誘電体線路とスロット線路との間で広帯域に亘ってインピーダンス整合をとることができ、スロット誘電体線路とスロット線路との変換帯域を広げることができる。この結果、広帯域な高周波信号に対して、信号の伝搬には低損失なスロット誘電体線路を用い、各種の素子を接続するときにはスロット線路を用いることができる。
【０００８】
請求項２の発明による伝送線路は、誘電体基板と、該誘電体基板の表面，裏面にそれぞれ設けられた表面電極，裏面電極とを備え、前記誘電体基板の裏面側に設けられ前記裏面電極に覆われた状態で高周波信号の伝送方向に沿って断面凸形状で連続して延びる隆起部と、前記表面電極に設けられ一定の幅寸法をもって該隆起部に沿って延びる第１のスロットとによってスロット誘電体線路を構成し、前記表面電極に設けられ前記第１のスロットから離間すると共に前記第１のスロットよりも狭い一定の幅寸法をもって高周波信号の伝送方向に沿って延びる第２のスロットによってスロット線路を構成し、前記表面電極に設けられ前記第１のスロットから第２のスロットに向けて幅寸法が漸次縮小しつつ延び前記スロット誘電体線路とスロット線路との間を接続するテーパ型スロットによってテーパ型スロット線路を構成している。
【０００９】
これにより、スロット誘電体線路とスロット線路との間をテーパ型スロットからなるテーパ型スロット線路によって接続したから、スロット誘電体線路とスロット線路との間で広帯域に亘ってインピーダンス整合をとることができ、スロット誘電体線路とスロット線路との変換帯域を広げることができる。この結果、広帯域な高周波信号に対して、信号の伝搬には低損失なスロット誘電体線路を用い、各種の素子を接続するときにはスロット線路を用いることができる。
【００１０】
請求項３の発明は、誘電体基板には、連続して延びる第１のスロット、テーパ型スロットおよび第２のスロットを挟んだ両側にそれぞれ配置され、厚さ方向に貫通して表面電極と裏面電極との間を導通させる複数のスルーホールを設ける構成としたことにある。
【００１１】
これにより、第１のスロット、テーパ型スロットおよび第２のスロットを挟んで配置したスルーホールは、誘電体基板のうち各スロットの周囲に高周波信号を閉じ込める。このため、誘電体基板の内部で各スロットの幅方向両側に向けて高周波信号が放射するのを防ぐことができ、伝送損失を低減することができる。
【００１２】
請求項４の発明による伝送線路は、誘電体基板と、該誘電体基板の表面，裏面にそれぞれ設けられた表面電極，裏面電極とを備え、前記誘電体基板の裏面側に設けられ前記裏面電極に覆われた状態で高周波信号の伝送方向に沿って断面凸形状で連続して延びる隆起部と、前記表面電極に設けられ一定の幅寸法をもって該隆起部に沿って延びる第１のスロットとによってスロット誘電体線路を構成し、前記表面電極に設けられ前記第１のスロットから離間すると共に前記第１のスロットよりも狭い一定の幅寸法をもって高周波信号の伝送方向に沿って延びる第２のスロットによってスロット線路を構成し、前記誘電体基板の裏面側に設けられ前記スロット誘電体線路とスロット線路との間に位置して前記裏面電極に覆われた状態で前記隆起部を延長した延長隆起部と、前記第１のスロットから第２のスロットに向けて幅寸法がステップ状をなして該延長隆起部に沿って延び前記スロット誘電体線路とスロット線路との間を接続するステップ型スロットとによってステップ型スロット誘電体線路を構成している。
【００１３】
これにより、スロット誘電体線路とスロット線路との間を延長隆起部とステップ型スロットとからなるステップ型スロット誘電体線路によって接続したから、スロット誘電体線路とスロット線路とを直接接続するときに比べて、スロット誘電体線路とスロット線路との間で広帯域に亘ってインピーダンス整合を取ることができる。このため、スロット誘電体線路とスロット線路との変換帯域を広げることができるから、広帯域な高周波信号に対して、信号の伝搬には低損失なスロット誘電体線路を用い、各種の素子を接続するときにはスロット線路を用いることができる。また、ステップ型スロット誘電体線路はステップ型スロットを用いるから、例えばテーパ型スロットを用いた場合に比べて、その全長寸法を短くすることができる。
【００１４】
請求項５の発明による伝送線路は、誘電体基板と、該誘電体基板の表面，裏面にそれぞれ設けられた表面電極，裏面電極とを備え、前記誘電体基板の裏面側に設けられ前記裏面電極に覆われた状態で高周波信号の伝送方向に沿って断面凸形状で連続して延びる隆起部と、前記表面電極に設けられ一定の幅寸法をもって該隆起部に沿って延びる第１のスロットとによってスロット誘電体線路を構成し、前記表面電極に設けられ前記第１のスロットから離間すると共に前記第１のスロットよりも狭い一定の幅寸法をもって高周波信号の伝送方向に沿って延びる第２のスロットによってスロット線路を構成し、前記表面電極に設けられ前記第１のスロットから第２のスロットに向けて幅寸法がステップ状をなして延び前記スロット誘電体線路とスロット線路との間を接続するステップ型スロットによってステップ型スロット線路を構成している。
【００１５】
この場合、スロット誘電体線路とスロット線路との間をステップ型スロットからなるステップ型スロット線路によって接続したから、請求項４の発明とほぼ同様の作用効果を得ることができる。
【００１６】
請求項６の発明は、誘電体基板には、連続して延びる第１のスロット、ステップ型スロットおよび第２のスロットを挟んだ両側にそれぞれ配置され、厚さ方向に貫通して表面電極と裏面電極との間を導通させる複数のスルーホールを設ける構成としたことにある。
【００１７】
これにより、第１のスロット、ステップ型スロットおよび第２のスロットを挟んで配置したスルーホールは、誘電体基板のうち各スロットの周囲に高周波信号を閉じ込める。このため、誘電体基板の内部で各スロットの幅方向両側に向けて高周波信号が放射するのを防ぐことができ、伝送損失を低減することができる。
【００１８】
請求項７の発明は、スロット誘電体線路には、スロット線路と反対側に位置して隆起部を延長すると共に誘電体基板の表面を表面電極によって覆うことにより構成された誘電体線路を接続したことにある。
【００１９】
この場合、誘電体線路は誘電体基板の表面を表面電極によって覆うから、スロット誘電体線路に比べて第１のスロットを通じた高周波信号の放射を防ぐことができ、伝送損失を低減することができる。また、スロット誘電体線路等を用いて誘電体線路とスロット線路との間を接続することができるから、誘電体線路とスロット線路との間の変換帯域を広げることができる。
【００２０】
請求項８の発明は、スロット線路には抵抗素子を取付ける構成としたことにある。
【００２１】
これにより、スロット線路では第２のスロットの周囲に電磁界が集中するから、放射損失は大きくなるものの、スロット線路に対して抵抗素子を容易に接続できる。このため、抵抗素子等を用いて終端抵抗器を構成することができ、該終端抵抗器をスロット誘電体線路に接続することができる。
【００２２】
請求項９の発明では、誘電体基板は、セラミックス材料、樹脂材料またはこれらの複合材料によって形成している。
【００２３】
これにより、誘電体基板の耐熱性を向上することができるから、一括リフロー半田法を用いて表面実装部品を実装することができ、生産性を向上することができる。また、誘電体基板の誘電率を容易に高めることができるから、誘電体基板の内部での高周波信号の波長を短くすることができ、スロット誘電体線路とスロット線路との間の長さ寸法（テーパ型スロット誘電体線路、ステップ型スロット誘電体線路等の長さ寸法）を短くすることができる。
【００２４】
請求項１０の発明のように、本発明による伝送線路を用いて送受信装置を構成してもよい。
【００２５】
【発明の実施の形態】
以下、本発明の実施の形態による伝送線路および送受信装置を、添付図面を参照しつつ詳細に説明する。
【００２６】
まず、図１ないし図６は第１の実施の形態を示し、図において、１は伝送線路で、該伝送線路１は、後述のスロット誘電体線路７、スロット線路９、テーパ型スロット誘電体線路１２によって構成されている。
【００２７】
２は樹脂材料、セラミックス材料、またはこれらを混合して焼結した複合材料からなる誘電体基板で、該誘電体基板２は、例えば７．０程度の比誘電率εｒで０．３ｍｍ程度の厚さ寸法Ｔ１をもった平板状に形成され、その表面２Ａには後述の表面電極３が設けられると共に、裏面２Ｂには裏面電極４が設けられている。
【００２８】
３は誘電体基板２の表面２Ａに形成された表面電極を示すと共に、４は誘電体基板２の裏面２Ｂに形成された裏面電極を示し、これらの電極３，４は、誘電体基板２に対して導電性金属材料をスパッタ、真空蒸着等の手段を用いて薄膜状に形成されている。また、裏面電極４は、後述の隆起部５の外面を含めて誘電体基板２の裏面２Ｂを略全面に亘って覆っている。
【００２９】
５は誘電体基板２の裏面２Ｂ側に設けられた隆起部で、該隆起部５は、断面凸形状をなして例えばマイクロ波、ミリ波等の高周波信号の伝送方向（矢示Ａ方向）に沿って延びると共に、その外面（幅方向両側の側面および底面）が裏面電極４に覆われている。そして、隆起部５は、誘電体基板２と同じ材料を用いて誘電体基板２に一体形成され、例えば０．４５ｍｍ程度の一定の幅寸法Ｗ１を有すると共に、０．６０ｍｍ程度の突出寸法Ｔ２をもって誘電体基板２の裏面２Ｂから突出している。
【００３０】
６は誘電体基板２の表面２Ａに位置して表面電極３を貫通して設けられた第１のスロットで、該スロット６は、隆起部５と対向した位置で隆起部５に沿って延び、帯状（溝状）の開口を形成している。また、第１のスロット６は、例えば０．４５ｍｍ程度の一定の幅寸法Ｗ２を有し、この幅寸法Ｗ２は隆起部５の幅寸法Ｗ１とほぼ等しい値に設定されている。
【００３１】
そして、隆起部５および第１のスロット６はスロット誘電体線路７を構成し、該スロット誘電体線路７は、その基端側が誘電体基板２の一端側の外周部に向けて延び、先端側が誘電体基板２の中央部に位置している。
【００３２】
８は第１のスロット６（スロット誘電体線路７）の延長線上に位置して表面電極３を貫通して設けられた第２のスロットで、該スロット８は、第１のスロット６から離間した位置で第１のスロット６とほぼ同様に高周波信号の伝送方向に沿って延び、帯状（溝状）の開口を形成している。また、第２のスロット８は、例えば０．０５ｍｍ程度の一定の幅寸法Ｗ３を有し、この幅寸法Ｗ３は第１のスロット６の幅寸法Ｗ２よりも小さい値に設定されている。
【００３３】
そして、第２のスロット８はスロット線路９を構成し、該スロット線路９は、その基端側が誘電体基板２の中央部に位置して後述するテーパ型スロット誘電体線路１２を介してスロット誘電体線路７に接続されると共に、先端側が誘電体基板２の他端側の外周部に向けて延びている。
【００３４】
１０は隆起部５の先端側を延長して誘電体基板２の裏面２Ｂ側に設けられた延長隆起部で、該延長隆起部１０は、隆起部５と同様に断面凸形状をなし、例えば隆起部５とほぼ同じ値の一定の幅寸法と突出寸法とを有してスロット誘電体線路７からスロット線路９に向けて延びている。そして、延長隆起部１０は、その外面（幅方向両側の側面、底面および先端面）が裏面電極４によって覆われている。
【００３５】
１１はスロット誘電体線路７とスロット線路９との間に位置して表面電極３を貫通して設けられたテーパ型スロットで、該テーパ型スロット１１は、延長隆起部１０と対向して配設され、例えば２．１ｍｍ程度の長さ寸法Ｌ１をもって延長隆起部１０に沿って延びている。また、テーパ型スロット１１は、その幅寸法Ｗ４が第１のスロット６から第２のスロット８に向けて漸次縮小（連続的に縮小）すると共に、これら第１のスロット６、テーパ型スロット１１および第２のスロット８は連続して延びている。
【００３６】
そして、延長隆起部１０およびテーパ型スロット１１はテーパ型スロット誘電体線路１２を構成し、該テーパ型スロット誘電体線路１２は、その基端側がスロット誘電体線路７に接続されると共に、先端側がスロット線路９に接続されている。また、テーパ型スロット誘電体線路１２は、スロット誘電体線路７とスロット線路９と一緒にほぼ直線上に配置され、スロット誘電体線路７とスロット線路９との間を接続している。
【００３７】
１３は連続して延びる第１のスロット６、テーパ型スロット１１および第２のスロット８を挟んだ幅方向両側にそれぞれ配置された複数のスルーホールで、該スルーホール１３は、高周波信号の伝送方向（矢示Ａ方向）に沿って幅方向の片側に２列ずつ、合計４列をなして互いに平行に配置されている。また、４列のスルーホール１３は、矢示Ａ方向に対してほぼ同じ位置に配置され、幅方向に対して４個ずつほぼ直線上に配置されている。また、スルーホール１３は、例えば０．３ｍｍ程度の内径寸法φをもった略円形の貫通孔からなり、レーザ加工、パンチング加工等によって形成されている。そして、スルーホール１３は、誘電体基板２を貫通すると共に、その内壁面が導電性の金属材料によって覆われ、表面電極３と裏面電極４との間を導通している。
【００３８】
また、高周波信号の伝送方向に対して隣合う２つのスルーホール１３の間隔Ｌ２は、例えば使用周波数における高周波信号の誘電体基板２内の波長λｇに対してλｇ／２以下（例えば、Ｌ２＝０．６ｍｍ）に設定されている。また、幅方向に対して隣合う２列のスルーホール１３の間隔についても、例えば高周波信号の誘電体基板２内の波長λｇに対してλｇ／２以下に設定されている。
【００３９】
本実施の形態による伝送線路は上述の如き構成を有するもので、次にその作動について説明する。
【００４０】
まず、スロット誘電体線路７に高周波信号を入力すると、隆起部５と第１のスロット６との幅方向に対して電界Ｅが形成されると共に、第１のスロット６の長さ方向と誘電体基板２の厚さ方向とに対して磁界Ｈが形成される。そして、高周波信号は、隆起部５の互いに対向する２つの側面をＨ面、隆起部５の底面および誘電体基板２の表面２ＡをＥ面とするＴＥ１０モードに準じたモードの電磁波をなして第１のスロット６に沿って伝搬する。このとき、高周波信号は、隆起部５の底面と第１のスロット６が開口した誘電体基板２の表面２Ａとでそれぞれ全反射を繰り返し、誘電体基板２の内部とその近傍に集中して伝搬する。
【００４１】
次に、スロット誘電体線路７を伝搬してテーパ型スロット誘電体線路１２に到達した高周波信号は、テーパ状に幅寸法Ｗ４が連続的に漸次縮小したテーパ型スロット１１によって徐々に伝搬モードが変換される。これにより、高周波信号の集中する部位が、誘電体基板２の内部から表面２Ａ側に向けて変位する。
【００４２】
そして、テーパ型スロット誘電体線路１２を伝搬してスロット線路９に到達した高周波信号は、ほぼスロット線路９の伝搬モードであるＴＥ０１モードに準じたモードに変換されているから、反射損失が低減した状態でスロット線路９に入力される。
【００４３】
ここで、図７ないし図９に示す比較例のように、スロット誘電体線路７とスロット線路９とを直接接続した場合について３次元電磁界シミュレーションを行うと、図１０に示すような伝送特性を得ることができる。この場合、反射係数Ｓ１１は−２０ｄＢ以下となるのが理想的であるのに対して、６０ＧＨｚから１００ＧＨｚの全ての周波数帯域に亘って反射係数Ｓ１１は−５ｄＢ程度となり、スロット誘電体線路７とスロット線路９とを接続する接続部で反射が大きくなってしまう。
【００４４】
これに対し、本実施の形態のように、スロット誘電体線路７とスロット線路９との間をテーパ型スロット誘電体線路１２を用いて接続した場合について３次元電磁界シミュレーションを行うと、図６に示すような伝送特性を得ることができる。この結果、例えば６７ＧＨｚから８２ＧＨｚの周波数帯域に亘って反射係数Ｓ１１を−２０ｄＢ以下にすることができ、スロット誘電体線路７とスロット線路９との間の反射を小さくすることができる。
【００４５】
かくして、本実施の形態では、スロット誘電体線路７とスロット線路９との間をテーパ型スロット誘電体線路１２を用いて接続したから、広帯域の高周波信号に対してスロット誘電体線路７とスロット線路９との間のインピーダンス整合を取ることができ、２つの線路７，９間の変換帯域を広げることができる。
【００４６】
また、スロット誘電体線路７では誘電体基板２の内部に電磁界が集中するから、第１のスロット６による放射損失を低減した状態で高周波信号を伝搬させることができる。一方、スロット線路９では第２のスロット８の周囲に電磁界が集中するから、放射損失は大きくなるものの、スロット線路９に並列に接続される半導体素子、抵抗素子等に電磁界を集中させて供給することができる。そして、スロット誘電体線路７とスロット線路９との間をテーパ型スロット誘電体線路１２を用いて接続したから、広帯域に亘って反射が少ない状態で２つの線路７，９間で高周波信号を伝搬させることができ、高周波信号の伝搬には低損失なスロット誘電体線路７を用い、各種の素子を接続するときにはスロット線路９を用いることができる。
【００４７】
特に、スロット誘電体線路７は隆起部５と対向して第１のスロット６を設けると共に、隆起部５の裏面（底面）側を裏面電極４によって覆う構成としたから、誘電体基板２の裏面２Ｂ側から高周波信号が放射することがなくなる。このため、隆起部５と第１のスロット６とが位置ずれした場合であっても、誘電体基板２の表面２Ａだけしか高周波信号が放射することがないから、放射による伝送損失を低減することができる。
【００４８】
また、各スロット６，１１，８を挟んだ幅方向両側に２つの電極３，４間を導通させる複数のスルーホール１３を設けたから、高周波信号を幅方向に対して各スロット６，１１，８の周囲に閉じ込めることができ、誘電体基板２のうち幅方向両側に向けて高周波信号が放射するのを抑制することができる。このため、幅方向の放射に伴う高周波信号の伝送損失を低減することができる。
【００４９】
特に、スロット誘電体線路７では、誘電体基板２の裏面２Ｂには、断面凸形状で高周波信号の伝送方向に向けて延びる隆起部５を設け、該隆起部５の外面を含めて誘電体基板２の裏面２Ｂに裏面電極４を設けたから、スルーホール１３に加えて隆起部５の側面にも電流を流すことができる。さらに、スロット誘電体線路７の隆起部５は高周波信号の伝送方向に連続して設けられているから、誘電体基板２の厚さ方向のみならず、斜め方向に対しても電流を流すことができる。このため、隆起部５を省いた場合に比べて、スルーホール１３内の電流集中を緩和でき、伝送損失を低減することができる。
【００５０】
さらに、誘電体基板２はセラミックス材料、樹脂材料またはこれらの複合材料によって形成したから、誘電体基板２の耐熱性を向上することができる。このため、一括リフロー半田法を用いて各種の表面実装部品を実装することができ、生産性を向上することができる。また、誘電体基板２の誘電率を容易に高めることができるから、誘電体基板２の内部での高周波信号の波長λｇを短くすることができ、テーパ型スロット誘電体線路１２の長さ寸法Ｌ１を短くすることができる。
【００５１】
なお、前記実施の形態では、テーパ型スロット誘電体線路１２の延長隆起部１０はスロット誘電体線路７の隆起部５をそのまま（幅寸法、突出寸法が同じ値）延長するものとした。しかし、本発明はこれに限らず、図１１に示す第１の変形例のように、スロット誘電体線路７からスロット線路９に向けて突出寸法が漸次縮小した延長隆起部１０′を用いる構成としてもよい。
【００５２】
また、図１２に示す第２の変形例のように、テーパ型スロット１１と同様にスロット誘電体線路７からスロット線路９に向けて幅寸法が漸次縮小した延長隆起部１０″を用いる構成としてもよく、図１１に示す第１の変形例と図１２に示す第２の変形例とを組合せた延長隆起部を用いる構成としてもよい。
【００５３】
次に、図１３ないし図１６は本発明の第２の実施の形態を示し、本実施の形態の特徴は、スロット誘電体線路とスロット線路との間はテーパ型スロットからなるテーパ型スロット線路を用いて接続する構成としたことにある。なお、本実施の形態では、第１の実施の形態と同一の構成要素に同一の符号を付し、その説明を省略するものとする。
【００５４】
２１は本実施の形態による伝送線路で、該伝送線路２１は、スロット誘電体線路７、スロット線路９および後述のテーパ型スロット線路２３とによって構成されている。
【００５５】
２２はスロット誘電体線路７とスロット線路９との間に位置して表面電極３を貫通して設けられたテーパ型スロットで、該テーパ型スロット２２は、第１の実施の形態によるテーパ型スロット１１とほぼ同様に、第１のスロット６から第２のスロット８に向けて幅寸法が漸次縮小しつつ延びている。
【００５６】
そして、テーパ型スロット２２はテーパ型スロット線路２３を構成し、該テーパ型スロット線路２３は、その基端側がスロット誘電体線路７に接続されると共に、先端側がスロット線路９に接続されている。また、テーパ型スロット線路２３は、スロット誘電体線路７とスロット線路９と一緒にほぼ直線上に配置され、スロット誘電体線路７とスロット線路９との間を接続している。
【００５７】
２４は連続して延びる第１のスロット６、テーパ型スロット２２および第２のスロット８を挟んだ幅方向両側に位置して誘電体基板２を貫通して設けられた複数のスルーホールで、該スルーホール２４は、第１の実施の形態によるスルーホール１３とほぼ同様に、高周波信号の伝送方向に沿って幅方向の片側に２列ずつ、合計４列をなして互いに平行に配置されている。
【００５８】
かくして、本実施の形態でも第１の実施の形態と同様の作用効果を得ることができる。
【００５９】
次に、図１７ないし図１９は本発明の第３の実施の形態を示し、本実施の形態の特徴は、スロット誘電体線路とスロット線路との間は延長隆起部とステップ型スロットとからなるステップ型スロット誘電体線路を用いて接続する構成としたことにある。なお、本実施の形態では、第１の実施の形態と同一の構成要素に同一の符号を付し、その説明を省略するものとする。
【００６０】
３１は本実施の形態による伝送線路で、該伝送線路３１は、スロット誘電体線路７、スロット線路９および後述のステップ型スロット誘電体線路３４とによって構成されている。
【００６１】
３２は隆起部５の先端側を延長して誘電体基板２の裏面２Ｂ側に設けられた延長隆起部で、該延長隆起部３２は、第１の実施の形態による延長隆起部１０とほぼ同様に、隆起部５とほぼ同じ断面凸形状をなしてスロット誘電体線路７からスロット線路９に向けて延び、その外面が裏面電極４によって覆われている。
【００６２】
３３はスロット誘電体線路７とスロット線路９との間に位置して表面電極３を貫通して設けられたステップ型スロットで、該ステップ型スロット３３は、延長隆起部３２と対向して配設され、例えば高周波信号の誘電体基板２内の波長λｇに対してλｇ／４程度の長さ寸法Ｌ３をもって延長隆起部３２に沿って延びている。また、テーパ型スロット１１は、その幅寸法Ｗ５が第１のスロット６の幅寸法Ｗ２と第２のスロット８の幅寸法Ｗ３との間の値に設定され、第１のスロット６から第２のスロット８に向けて１段のステップ状をなしている。
【００６３】
そして、延長隆起部３２およびステップ型スロット３３はステップ型スロット誘電体線路３４を構成し、該ステップ型スロット誘電体線路３４は、その基端側がスロット誘電体線路７に接続されると共に、先端側がスロット線路９に接続されている。また、ステップ型スロット誘電体線路３４は、スロット誘電体線路７とスロット線路９と一緒にほぼ直線上に配置され、スロット誘電体線路７とスロット線路９との間を接続している。
【００６４】
３５は連続して延びる第１のスロット６、ステップ型スロット３３および第２のスロット８を挟んだ幅方向両側に位置して誘電体基板２を貫通して設けられた複数のスルーホールで、該スルーホール３５は、第１の実施の形態によるスルーホール１３とほぼ同様に、高周波信号の伝送方向に沿って幅方向の片側に２列ずつ、合計４列をなして互いに平行に配置されている。
【００６５】
かくして、本実施の形態でも第１の実施の形態と同様の作用効果を得ることができる。しかし、本実施の形態では、スロット誘電体線路７とスロット線路９との間は延長隆起部３２とステップ型スロット３３とからなるステップ型スロット誘電体線路３４を用いて接続したから、第１の実施の形態によるテーパ型スロット誘電体線路１２に比べてステップ型スロット誘電体線路３４の長さ寸法Ｌ３を短くすることができる。
【００６６】
即ち、第１の実施の形態によるテーパ型スロット１１（テーパ型スロット誘電体線路１２）では、広帯域に亘ってインピーダンス整合を取るために、例えば波長λｇの数倍程度の長さ寸法を確保する必要があるのに対し、本実施の形態ではステップ型スロット３３（ステップ型スロット誘電体線路３４）を用いるから、インピーダンス整合が取れる帯域は狭くなるものの、その長さ寸法Ｌ５を短くすることができる。
【００６７】
なお、本実施の形態では、スロット誘電体線路７とスロット線路９との間を１段のステップ状をなして接続するステップ型スロット３３を用いる構成としたが、２段以上のステップ状をなして接続するステップ型スロットを用いる構成としてもよい。この場合、ステップ状をなす段数を増加させることによって、インピーダンス整合が取れる帯域を広げることができる。
【００６８】
また、前記第３の実施の形態では、ステップ型スロット誘電体線路３４の延長隆起部３２はスロット誘電体線路７の隆起部５をそのまま（幅寸法、突出寸法が同じ値）延長するものとした。しかし、本発明はこれに限らず、図２０に示す第３の変形例のように、スロット誘電体線路７からスロット線路９に向けて突出寸法が漸次縮小した延長隆起部３２′を用いる構成としてもよい。
【００６９】
さらに、図２１に示す第４の変形例のように、ステップ型スロット３３と同様にスロット誘電体線路７からスロット線路９に向けて幅寸法がステップ状をなす延長隆起部３２″を用いる構成としてもよく、図２０に示す第３の変形例と図２１に示す第４の変形例とを組合せた延長隆起部を用いる構成としてもよい。
【００７０】
次に、図２２ないし図２４は本発明の第４の実施の形態を示し、本実施の形態の特徴は、スロット誘電体線路とスロット線路との間はステップ型スロットからなるステップ型スロット線路を用いて接続する構成としたことにある。なお、本実施の形態では、第１の実施の形態と同一の構成要素に同一の符号を付し、その説明を省略するものとする。
【００７１】
４１は本実施の形態による伝送線路で、該伝送線路４１は、スロット誘電体線路７、スロット線路９および後述のステップ型スロット線路４３とによって構成されている。
【００７２】
４２はスロット誘電体線路７とスロット線路９との間に位置して表面電極３を貫通して設けられたステップ型スロットで、該ステップ型スロット４２は、第３の実施の形態によるステップ型スロット３３とほぼ同様に、第１のスロット６から第２のスロット８に向けて幅寸法がステップ状をなして延びている。
【００７３】
そして、ステップ型スロット４２はステップ型スロット線路４３を構成し、該ステップ型スロット線路４３は、その基端側がスロット誘電体線路７に接続されると共に、先端側がスロット線路９に接続されている。また、ステップ型スロット線路４３は、スロット誘電体線路７とスロット線路９と一緒にほぼ直線上に配置され、スロット誘電体線路７とスロット線路９との間を接続している。
【００７４】
４４は連続して延びる第１のスロット６、ステップ型スロット４２および第２のスロット８を挟んだ幅方向両側に位置して誘電体基板２を貫通して設けられた複数のスルーホールで、該スルーホール４４は、第１の実施の形態によるスルーホール１３とほぼ同様に、高周波信号の伝送方向に沿って幅方向の片側に２列ずつ、合計４列をなして互いに平行に配置されている。
【００７５】
かくして、本実施の形態でも第１，第３の実施の形態と同様の作用効果を得ることができる。
【００７６】
次に、図２５および図２６は本発明の第５の実施の形態による伝送線路を示し、本実施の形態の特徴は、スロット誘電体線路には、スロット線路と反対側に位置して隆起部を延長すると共に誘電体基板の表面を表面電極によって覆うことにより構成された誘電体線路を接続したことにある。なお、本実施の形態では、第１の実施の形態と同一の構成要素に同一の符号を付し、その説明を省略するものとする。
【００７７】
５１はスロット誘電体線路７の基端側に接続された誘電体線路で、該誘電体線路５１は、スロット線路９（テーパ型スロット誘電体線路１２）と反対側に位置してスロット誘電体線路７の隆起部５を延長すると共に、スロット誘電体線路７とは異なり誘電体基板２の表面２Ａのうち延長した隆起部５と対向した部位を表面電極３によって覆う構成としている。
【００７８】
かくして、本実施の形態でも第１の実施の形態と同様の作用効果を得ることができるが、本実施の形態では、スロット誘電体線路７に誘電体基板２の表面２Ａを表面電極３によって覆った誘電体線路５１を接続したから、スロット誘電体線路７に比べてスロット６による放射が少ない誘電体線路５１を用いて高周波信号を伝搬させることができると共に、該誘電体線路５１を伝搬した高周波信号を変換損失が少ない状態でスロット線路９に導くことができる。
【００７９】
次に、図２７および図２８は本発明の第６の実施の形態による伝送線路を示し、本実施の形態の特徴は、スロット線路の途中には抵抗素子を取付ける構成としたことにある。なお、本実施の形態では、第１の実施の形態と同一の構成要素に同一の符号を付し、その説明を省略するものとする。
【００８０】
６１はスロット線路９の途中に取付けられた抵抗素子で、該抵抗素子６１は、例えばチップ抵抗等によって構成され、その両端が第２のスロット８を跨いで表面電極３に接続されている。
【００８１】
かくして、本実施の形態でも第１の実施の形態と同様の作用効果を得ることができる。しかし、本実施の形態では、スロット線路９の途中に抵抗素子６１を取付けたから、誘電体基板２の内部に電磁界の集中するスロット誘電体線路７に比べて、抵抗素子６１が取付けられた第２のスロット８の周囲に電磁界を集中させることができる。この結果、抵抗素子６１を用いてスロット線路９を伝搬する高周波信号を効率良く減衰させることができるから、容易に抵抗素子６１を用いて終端抵抗器を構成することができ、設計自由度が向上すると共に、該終端抵抗器をスロット誘電体線路７に接続することができる。
【００８２】
次に、図２９および図３０は本発明の第７の実施の形態を示し、本実施の形態の特徴は、伝送線路を用いてレーダ装置を構成したことにある。
【００８３】
７１は本実施の形態による送受信装置としてのレーダ装置で、該レーダ装置７１は、両面にそれぞれ表面電極７３と裏面電極（図示せず）が形成された誘電体基板７２を用いて形成され、誘電体基板７２の表面に設けた電圧制御発振器７４と、該電圧制御発振器７４に増幅器７５、サーキュレータ７６を介して接続されたアンテナ（放射器）をなす開口部７７と、該開口部７７から受信した信号を中間周波信号ＩＦにダウンコンバートするためにサーキュレータ７６に接続されたミキサ７８とによって概略構成されている。また、増幅器７５とサーキュレータ７６との間には方向性結合器７９が接続して設けられ、この方向性結合器７９によって電力分配された信号は、ミキサ７８にローカル信号として入力される。
【００８４】
そして、これら電圧制御発振器７４、増幅器７５、サーキュレータ７６、ミキサ７８等の間は、例えば第１の実施の形態によるスロット誘電体線路７によって接続され、これらのレーダ装置７１は１枚の誘電体基板７２に形成されるものである。
【００８５】
また、方向性結合器７９は、増幅器７５とサーキュレータ７６との間に位置するスロット誘電体線路７とほぼ並行に配設された他のスロット誘電体線路７によって構成され、該他のスロット誘電体線路７の一端側はミキサ７８に接続されると共に、他端側は第１の実施の形態によるテーパ型スロット誘電体線路１２を介してスロット線路９に接続されている。そして、スロット線路９の途中には抵抗素子８０が接続され、終端抵抗器を構成している。
【００８６】
さらに、スロット誘電体線路７、スロット線路９、テーパ型スロット誘電体線路１２の両脇には複数のスルーホール８１が形成されている。
【００８７】
本実施の形態によるレーダ装置７１は上述の如き構成を有するもので、電圧制御発振器７４から出力された発振信号は増幅器７５によって増幅され、方向性結合器７９およびサーキュレータ７６を経由して、送信信号として開口部７７から送信される。一方、開口部７７から受信された受信信号はサーキュレータ７６を通じてミキサ７８に入力されると共に、方向性結合器７９によるローカル信号を用いてダウンコンバートされ、中間周波信号ＩＦとして出力される。
【００８８】
かくして、本実施の形態によれば、スロット誘電体線路７を用いて電圧制御発振器７４、増幅器７５、サーキュレータ７６、ミキサ７８等の間を接続したから、誘電体基板７２の表面だけでスロット誘電体線路７に増幅器７５等を容易に接続することができると共に、スロット誘電体線路７と電圧制御発振器７４等との間を低損失で接続することができ、レーダ装置全体の電力効率を高め、消費電力を低減することができる。
【００８９】
また、方向性結合器７９にはテーパ型スロット誘電体線路１２を介して抵抗素子８０が取付けられたスロット線路９を接続したから、方向性結合器７９からミキサ７８に対して逆方向に伝搬した高周波信号を抵抗素子８０を用いて確実に減衰させることができる。この結果、ミキサ７８に供給するローカル信号のノイズを低減することができ、送受信装置の通信品質を向上することができる。
【００９０】
なお、前記第７の実施の形態では、本発明による伝送線路をレーダ装置に適用した場合を例を挙げて説明したが、例えば送受信装置として通信装置等に適用してもよい。
【００９１】
また、第５ないし第７の実施の形態では、第１の実施の形態によるテーパ型スロット誘電体線路１２を用いてスロット誘電体線路７とスロット線路９との間を接続するものとしたが、例えば第２の実施の形態によるテーパ型スロット線路２３、第３の実施の形態によるステップ型スロット誘電体線路３４または第４の実施の形態によるステップ型スロット線路４３を用いてスロット誘電体線路７とスロット線路９との間を接続する構成としてもよい。
【００９２】
また、前記各実施の形態では、誘電体基板２，７２にスルーホール１３，２４，３５，４４，８１を設ける構成としたが、スルーホールを省く構成としてもよい。
【００９３】
また、前記第１ないし第６の実施の形態では、誘電体基板２にはスロット６等の両脇に２列ずつ合計４列に亘って複数のスルーホール１３，２４，３５，４４を配置するものとしたが、第７の実施の形態のようにスロット６等の両脇に１列ずつ合計２列に亘って複数のスルーホールを設ける構成としてもよく、合計６列以上に亘ってスルーホールを配置する構成としてもよい。
【００９４】
さらに、前記各実施の形態では、スロット６等に近いスルーホール１３，２４，３５，４４と離れたスルーホール１３，２４，３５，４４とは、高周波信号の伝送方向に対してほぼ同じ位置に配置するものとしたが、本発明はこれに限らず、スロット等に近いスルーホールと離れたスルーホールとは、高周波信号の伝送方向に位置ずれした千鳥状（互い違い）に配置する構成としてもよい。
【００９５】
【発明の効果】
以上詳述した如く、請求項１の発明によれば、スロット誘電体線路とスロット線路との間をテーパ型スロット誘電体線路を用いて接続したから、広帯域の高周波信号に対してスロット誘電体線路とスロット線路との間のインピーダンス整合を取ることができ、これら２つの線路間の変換帯域を広げることができる。この結果、広帯域に亘って反射が少ない状態でスロット誘電体線路とスロット線路との間で高周波信号を伝搬させることができ、高周波信号の伝搬には低損失なスロット誘電体線路を用い、各種の素子を接続するときにはスロット線路を用いることができる。
【００９６】
請求項２の発明のように、テーパ型スロット線路を用いてスロット誘電体線路とスロット線路との間を接続する構成とした場合にも、請求項１の発明とほぼ同様の作用効果を得ることができる。
【００９７】
請求項３の発明によれば、誘電体基板には、連続して延びる第１のスロット、テーパ型スロットおよび第２のスロットを挟んだ両側に複数のスルーホールを設けたから、スルーホールによって誘電体基板の内部で各スロットの幅方向両側に向けて高周波信号が放射するのを防ぐことができ、伝送損失を低減することができる。
【００９８】
請求項４の発明によれば、ステップ型スロット誘電体線路を用いて前記スロット誘電体線路とスロット線路との間を接続する構成としたから、スロット誘電体線路とスロット線路とを直接接続するときに比べて、スロット誘電体線路とスロット線路との間で広帯域に亘ってインピーダンス整合を取ることができる。このため、スロット誘電体線路とスロット線路との変換帯域を広げることができるから、広帯域な高周波信号に対して、信号の伝搬には低損失なスロット誘電体線路を用い、各種の素子を接続するときにはスロット線路を用いることができる。また、ステップ型スロット誘電体線路はステップ型スロットを用いるから、例えばテーパ型スロットを用いた場合に比べて、その全長寸法を短くすることができる。
【００９９】
請求項５の発明のように、ステップ型スロット線路を用いてスロット誘電体線路とスロット線路との間を接続する構成とした場合にも、請求項４の発明とほぼ同様の作用効果を得ることができる。
【０１００】
請求項６の発明によれば、誘電体基板には、連続して延びる第１のスロット、ステップ型スロットおよび第２のスロットを挟んだ両側に複数のスルーホールを設けたから、スルーホールによって誘電体基板の内部で各スロットの幅方向両側に向けて高周波信号が放射するのを防ぐことができ、伝送損失を低減することができる。
【０１０１】
請求項７の発明によれば、スロット誘電体線路には、スロット線路と反対側に位置して隆起部を延長すると共に誘電体基板の表面を表面電極によって覆った誘電体線路を接続したから、スロット誘電体線路に比べて伝送損失が少ない誘電体線路を用いて高周波信号を伝搬させることができる。また、スロット誘電体線路等を用いて誘電体線路とスロット線路との間を接続することができるから、誘電体線路とスロット線路との間の変換帯域を広げることができる。
【０１０２】
請求項８の発明によれば、スロット線路には抵抗素子を取付ける構成としたから、抵抗素子を用いてスロット線路を伝搬する高周波信号を効率良く減衰させることができる。このため、抵抗素子を用いて終端抵抗器を容易に構成することができるから、設計自由度が向上すると共に、該終端抵抗器をスロット誘電体線路に接続することができる。
【０１０３】
請求項９の発明によれば、誘電体基板をセラミックス材料、樹脂材料またはこれらの複合材料によって形成したから、一括リフロー半田法を用いて表面実装部品を実装することができ、生産性を向上することができる。また、電体基板の誘電率を容易に高めることができるから、誘電体基板の内部での高周波信号の波長を短くすることができ、スロット誘電体線路とスロット線路との間の長さ寸法を短縮して小型化することができる。
【０１０４】
さらに、請求項１０の発明によれば、本発明による伝送線路を用いて送受信装置を構成したから、送受信装置全体の損失を低減することができ、電力効率を高めて消費電力を低減することができる。また、本発明の伝送線路を用いた終端抵抗器を適用できるから、終端からの反射ノイズ等を確実に減衰でき、例えば送受信装置の通信品質を向上することができる。
【図面の簡単な説明】
【図１】第１の実施の形態による伝送線路を示す斜視図である。
【図２】第１の実施の形態による伝送線路を示す正面図である。
【図３】第１の実施の形態による伝送線路を示す平面図である。
【図４】第１の実施の形態による伝送線路を示す底面図である。
【図５】図３中の矢示Ｖ−Ｖ方向からみた伝送線路を示す拡大断面図である。
【図６】図１中の伝送線路による反射係数、透過係数と高周波信号の周波数との関係をを示す特性線図である。
【図７】比較例による伝送線路を示す正面図である。
【図８】比較例による伝送線路を示す平面図である。
【図９】比較例による伝送線路を示す底面図である。
【図１０】図７中の伝送線路による反射係数、透過係数と高周波信号の周波数との関係をを示す特性線図である。
【図１１】第１の変形例による伝送線路を示す正面図である。
【図１２】第２の変形例による伝送線路を示す底面図である。
【図１３】第２の実施の形態による伝送線路を示す斜視図である。
【図１４】第２の実施の形態による伝送線路を示す正面図である。
【図１５】第２の実施の形態による伝送線路を示す平面図である。
【図１６】第２の実施の形態による伝送線路を示す底面図である。
【図１７】第３の実施の形態による伝送線路を示す正面図である。
【図１８】第３の実施の形態による伝送線路を示す平面図である。
【図１９】第３の実施の形態による伝送線路を示す底面図である。
【図２０】第３の変形例による伝送線路を示す正面図である。
【図２１】第４の変形例による伝送線路を示す底面図である。
【図２２】第４の実施の形態による伝送線路を示す正面図である。
【図２３】第４の実施の形態による伝送線路を示す平面図である。
【図２４】第４の実施の形態による伝送線路を示す底面図である。
【図２５】第５の実施の形態による伝送線路を示す正面図である。
【図２６】第５の実施の形態による伝送線路を示す平面図である。
【図２７】第６の実施の形態による伝送線路を示す斜視図である。
【図２８】第６の実施の形態による伝送線路を示す平面図である。
【図２９】第７の実施の形態によるレーダ装置を示す平面図である。
【図３０】第７の実施の形態によるレーダ装置を示すブロック図である。
【符号の説明】
１，２１，３１，４１  伝送線路
２，７２  誘電体基板
３，７３  表面電極
４  裏面電極
５  隆起部
６  第１のスロット
７  スロット誘電体線路
８  第２のスロット
９  スロット線路
１０，１０′，１０″，３２，３２′，３２″  延長隆起部
１１，２２  テーパ型スロット
１２，１２′，１２″  テーパ型スロット誘電体線路
１３，２４，３５，４４，８１  スルーホール
２３  テーパ型スロット線路
３３，４２  ステップ型スロット
３４，３４′，３４″  ステップ型スロット誘電体線路
４３  ステップ型スロット線路
５１  誘電体線路
６１，８０  抵抗素子
７１  レーダ装置（送受信装置）
【図１】
2004166077.tif 000003
【図２】
2004166077.tif 000004
【図３】
2004166077.tif 000005
【図４】
2004166077.tif 000006
【図５】
2004166077.tif 000007
【図６】
2004166077.tif 000008
【図７】
2004166077.tif 000009
【図８】
2004166077.tif 000010
【図９】
2004166077.tif 000011
【図１０】
2004166077.tif 000012
【図１１】
2004166077.tif 000013
【図１２】
2004166077.tif 000014
【図１３】
2004166077.tif 000015
【図１４】
2004166077.tif 000016
【図１５】
2004166077.tif 000017
【図１６】
2004166077.tif 000018
【図１７】
2004166077.tif 000019
【図１８】
2004166077.tif 000020
【図１９】
2004166077.tif 000021
【図２０】
2004166077.tif 000022
【図２１】
2004166077.tif 000023
【図２２】
2004166077.tif 000024
【図２３】
2004166077.tif 000025
【図２４】
2004166077.tif 000026
【図２５】
2004166077.tif 000027
【図２６】
2004166077.tif 000028
【図２７】
2004166077.tif 000029
【図２８】
2004166077.tif 000030
【図２９】
2004166077.tif 000031
【図３０】
2004166077.tif 000032